(57)【要約】【課題】トイレ装置の取り外しの際に、電源コードの取外しを容易にし、メンテナンス性を向上する。【解決手段】トイレ装置は、便器の上面に設置され、電源部を有するケーシングと、前記ケーシングの左右のうち何れか一方に取外し自在に接続され設けられる、電源コードと、前記ケーシングと前記便器とを締結する固定部材と、前記固定部材に設けられ、前記電源コードを前記ケーシングの左右のうち他方に向けた配設状態で保持する保持部と、を備え、前記保持部は、前記ケーシング側に露出し、前記電源コードが入る開口部と、前記開口部の側面から開口部内に突出し、前記電源コードの半径より短い係合凸部と、を有する。【選択図】図３ｃ
2016156203.tif 000002
【特許請求の範囲】
【請求項１】
便器の上面に設置され、電源部を有するケーシングと、
前記ケーシングの左右のうち何れか一方に取外し自在に接続され設けられる、電源コードと、
前記ケーシングと前記便器とを締結する固定部材と、
前記固定部材に設けられ、前記電源コードを前記ケーシングの左右のうち他方に向けた配設状態で保持する保持部と、
を備え、
前記保持部は、前記ケーシング側に露出し、前記電源コードが入る開口部と、前記開口部の側面から開口部内に突出し、前記電源コードの半径より短い係合凸部と、を有する、
トイレ装置。
【請求項２】
前記係合凸部は、前記開口部の側面から後方に向かって開口部内に突出する第一係合凸部と、前記開口部の後方側面から前方に向かって開口部内に突出する第二係合凸部と、を有する、
請求項１に記載のトイレ装置。
【請求項３】
前記固定部材は、便器左右方向に向かって便器前後方向よりも長い矩形形状であり、前記保持部は、前記固定部材の長手方向に少なくとも２つある、
請求項１又は請求項２に記載のトイレ装置。
【請求項４】
請求項１乃至３の何れか１項に記載のトイレ装置と、
貫通孔を有した便器と、
を備え、
前記貫通孔に、前記電源コードと、他のコードと、をまとめて入れられた、
大便器装置。
【発明の詳細な説明】
【技術分野】
【０００１】
本発明は、トイレ装置及びそれを備える大便器装置に関するものである。
【背景技術】
【０００２】
近年では、便座に座った人の局部に向けて洗浄水を噴出させ局部の洗浄を行なうトイレ装置としての便座装置が普及している。従来の便座装置には、電源コードを保護するため、挟持部で整線し、カバーで覆う技術が提案されている(例えば、特許文献１参照。)。
【先行技術文献】
【特許文献】
【０００３】
【特許文献１】特開２００３−２５３７３２号公報
【発明の概要】
【発明が解決しようとする課題】
【０００４】
しかし、特許文献１に記載の技術では、便座装置の取り外しの際に、電源コードがカバーで覆われ露出していないため、便座装置と電源コードの分離が難しく、メンテナンス性が不十分であるという問題があった。
【０００５】
そこで、本発明は、便座装置の取り外しの際に、電源コードの取外しを容易にし、メンテナンス性を向上した便座装置を提供することを目的の一つとする。
【課題を解決するための手段】
【０００６】
本発明の第１態様に係るトイレ装置は、便器の上面に設置され、電源部を有するケーシングと、前記ケーシングの左右のうち何れか一方に取外し自在に接続され設けられる、電源コードと、前記ケーシングと前記便器とを締結する固定部材と、前記固定部材に設けられ、前記電源コードを前記ケーシングの左右のうち他方に向けた配設状態で保持する保持部と、を備え、前記保持部は、前記ケーシング側に露出し、前記電源コードが入る開口部と、前記開口部の側面から開口部内に突出し、前記電源コードの半径より短い係合凸部と、を有する。
【０００７】
この構成によれば、トイレ装置がスライド動作により固定部材より取り外され、その後、トイレ装置が上方へ持ち上げられた際に、保持部がケーシングより露出し、上向に開口しており、電源コードの半径よりも短い係合凸部により電源コードが保持されているため、電源コードを保持部より容易に取り外しでき、メンテナンス性が向上する。
【０００８】
本発明の第２態様に係るトイレ装置は、本発明の第１態様において、係合凸部は、前記係合凸部は、前記開口部の側面から後方に向かって開口部内に突出する第一係合凸部と、前記開口部の後方側面から前方に向かって開口部内に突出する第二係合凸部と、を有する。
【０００９】
この構成によれば、電源コードは、開口部の一方の側面から開口部内に突出する第一係号凸部と、開口部の他方の先端から開口部内に突出する第二係合凸部と、により保持されているため、取り付け時と、取り外し時とにおける、電源コード表面と係合凸部との間で働く上下方向の弾性力を、一方から第一係合凸部と第二係合凸部を足した長さの係合凸部を突出させる場合に比べ、小さくすることが可能となり、強固に電源コードを保持できると同時に、電源コードを保持部より容易に取り外しでき、メンテナンス性が向上する。
【００１０】
本発明の第３態様に係るトイレ装置では、本発明の第１または第２態様において、前記固定部材は略矩形形状であり、前記保持部は、前記固定部材の長手方向に少なくとも２つ有する。
【００１１】
この構成によれば、ケーシングをスライドさせ、固定部材に取り付ける際に、少なくとも２ヶ所で電源コードが前記保持部により保持されているため、電源コードの余長が発生しなくなり、電源コードが固定部材と、ケーシングと、に噛み込むことなく取付けることができ、施工品質が向上する。
【００１２】
本発明の第４態様に係る大便器装置では、本発明の第１乃至３態様の何れか１つに記載のトイレ装置と、貫通孔を有した便器と、を備え、前記貫通孔に、前記電源コードと、他のコードと、をまとめて入れられている。
【００１３】
この構成によれば、電源コードと他のコードがまとまっているため、コード類が煩雑とならない。
【発明の効果】
【００１４】
本発明によれば、トイレ装置の取り外しの際に、電源コードの取外しを容易にし、メンテナンス性を向上することができた。
【図面の簡単な説明】
【００１５】
【図１】本発明の実施形態に係るトイレ装置の全体斜視図である。
【図２】本発明の実施形態に係る水洗便器と固定部材の斜視図である。
【図３ａ】本発明の実施形態に係る固定部材の斜視図である。
【図３ｂ】本発明の実施形態に係る固定部材の断面図である。
【図３ｃ】本発明の実施形態に係る保持部の断面図である。
【図４】本発明の実施形態に係る電動アシスト機構の斜視図である。
【図５】本発明の実施形態に係る便座装置の斜視図である。
【図６】本発明の実施形態に係る便座装置が固定部材へ取り付け後の底面図である。
【発明を実施するための形態】
【００１６】
以下、図面を参照しつつ、本発明の実施の形態ついて説明する。なお、本願明細書と各図において、既出の図に関して前述したものと同様の要素には同一の符号を付して詳細な説明は適宜省略する。
【００１７】
図１は、本発明の実施形態に係る大便器装置１００の全体斜視図である。また図２は、本発明の実施形態に係る水洗便器１０とそのリム面後部に設置された固定部材７０の斜視図である。
【００１８】
トイレ装置としての便座装置５０は、ケーシング５２と、便蓋５１と、便座５６（図５参照）と、を有する。
【００１９】
ケーシング５２の内部には、電源部の他、便座５６に座った使用者の「おしり」などの洗浄を実現する身体洗浄機能部などが内蔵されている。例えば、ケーシング５２内に、使用者が便座５６に座ったことを検知する着座検知センサ（不図示）が設けられている。着座検知センサが便座５６に座った使用者を検知している場合において、使用者が例えばリモコンなどの図示しない操作部を操作すると、洗浄ノズルを水洗便器１０のボウル内に進出させることができる。そして、洗浄ノズルは、その先端部に設けられた吐水口から水を噴射して、便座５６に座った使用者の「おしり」などを洗浄することができる。本実施携帯は、タンク３０に洗浄水を貯水し、水洗便器１０を洗浄する衛生便器であるが、タンク３０に貯水するものではなく、水道直圧式の衛生陶器であってもよい。
【００２０】
本実施形態においては、図１の右下に示す座標軸を用い、大便器装置１００の便蓋５１の先端側を前方、便蓋５１の後端側を後方とし、大便器装置１００の前に立った使用者から見て左右をそれぞれ、左側方、右側方とし、鉛直方向を上下方向として説明する。
【００２１】
図２において、固定部材７０は、例えば水洗便器１０の上面後部に設置されている。固定部材７０における水洗便器１０への設置方法は、固定部材７０にねじ孔７５が設けられ、また水洗便器１０の後部上面に図示しない取付け孔が設けられている。これらの孔に締め付けねじを挿入した状態で、水洗便器１０の裏側に設置されるナットと螺合することで、固定部材７０は水洗便器１０に取付けられる。
【００２２】
次に、便座装置５０と固定部材７０の締結方法について説明する。便座装置５０のケーシング５２の底面には係合凹部６８があり、この係合凹部６８は固定部材７０の外形と一致する。この係合凹部６８を固定部材７０の前方へ、例えば、固定部材７０の両側面に設置された切り欠き部程度、に左右方向を合わせ設置する。その後、固定部材７０の前面と係合凹部６８が当たるまで後方へスライドすることでケーシング５２と固定部材７０は締結される。便座装置５０の固定部材７０からの取り外しは、上記の締結方法とは逆に、ケーシング５２を前方へ、例えば固定部材７０の両側面に設置された切り欠き部程度まで、スライドする。その後、ケーシング５２と共に便座装置５０を上方へ持ち上げることで便座装置５０は水洗便器１０より取り外すことが可能となっている。
【００２３】
本実施形態に係る水洗便器１０は、後述する便座装置５０の給水管６５と電源コード６７（図５参照）と電動アシスト機構の電源コード８２（図４参照）を水洗便器１０内部に隠蔽するための貫通孔１２を有している。貫通孔１２は、給水管６５と電源コード６７と電源コード８２を水洗便器１０の背面に導くために、水洗便器１０の上面後部から背面にかけて貫通している。
【００２４】
次に、電動アシスト機構８０について説明する。
【００２５】
図４は、電動アシスト機構８０の全体斜視図である。電動アシスト機構８０は電源コード先端部８１と、差し込み口５９（図５参照）を接続することで電源コード８２を介して電力の供給を受ける。電動アシスト機構８０の中には図示しないモーターが内蔵されており、電気エネルギーを運動エネルギーに変換している。この運動エネルギーによって、タンク３０内にある図示しない排水弁を動かし、タンク３０内に貯められた水を流し、水洗便器１０を洗浄する。
【００２６】
次に、固定部材７０についてより詳細に説明する。
【００２７】
図３ａは、固定部材７０の全体斜視図である。
【００２８】
図３ａに示すように、固定部材７０は、板状の略矩形形状である。固定部材７０の後端部には、保持部７５が例えば２つ突設されている。
【００２９】
次に、保持部７５についてより詳細に説明する。
【００３０】
図３ｂは固定部材７０の側面図である。
【００３１】
保持部７５には、上向きに開口する開口部７７が設けられており、開口部７７は保持部７５の左右方向に向かって貫通しており、開口部７７の開口幅は所定の幅、例えば電動アシスト機構の電源コード８２の直径程度の開口が設けられている。
【００３２】
次に、開口部７７についてより詳細に説明する。
【００３３】
図３ｃは図３ｂを保持部７５について拡大した図である。
【００３４】
保持部７５には、開口部７７の前方の側面から後方に向かって係合凸部７８Ａ、また、後方の側面から前方に向かって係合凸部７８Ｂが突設されている。係合凸部７８Ａ、Ｂは、電動アシスト機構の電源コード８２の半径よりも短い長さを有し、係合凸部Ａ、Ｂより内側の開口部は電源コード８２よりも広い、例えば電源コード８２の直径程度の空間を有している。また、係合凸部７８Ａ、Ｂは、角部に適度な丸みを有し、開口部７７電源コード８２の差し込み時と、取り外し時に電源コード８２の破損防止している。また、係合凸部７８Ａ、Ｂは、上下の面に適度な傾斜を設けることで、電源コード８２が嵌められやすく、また、取り外しやすくなっている。さらに、係合凸部７８Ａ、Ｂの長さは電源コードの半径の半分程度の長さにすることで、電源コードを嵌める際と、取り外す際に、電源コードの丸みを生かし、嵌める際の下方向へ発生する力と、取り外し時に上方向へ発生する力を小さくすることができ、電源コードと係合凸部７８Ａ、Ｂへ過大な力が加わらなくなり、電源コードと係合凸部７８Ａ、Ｂの破損を防止している。
【００３５】
次に、固定部材７０を介して水洗便器１０の上面後部に取付けられる便座装置５０の構成について図５を参照しながら説明する。
【００３６】
図５は、便座装置５０を下から見た斜視図である。
【００３７】
ケーシング５２の底面と背面の交差部には切り欠き部５３が設けられており、切り欠き部５３は固定部材７０にケーシング５２が取付られたときに、ケーシング５２の鉛直下向きの投影面において、保持部７５がケーシング５２の背面から露出しない大きさを有している。
【００３８】
便座装置５０は、「おしり」などを洗浄するための水が供給される給水管６５と、便座装置５０あの機能を動かすための電機が供給される電源コード６７とを有する。給水管６５は、貫通孔１２に挿入しやすいように、ケーシング５２の底面部から鉛直下向きに延びている。また、電源コード６７を給水管６５に沿うように保持する保持部材６８がケーシング５２に設置されている。
【００３９】
次に、図６を参照しながら固定部材７０を介して電動アシスト機構の電源コード８２と便座装置５０を水洗便器１０の上面に取り付ける場合について説明する。
【００４０】
図６は、電源コード８２の取付と便座装置５０の固定部材７０への取付完了時の底面図である。
【００４１】
固定部材７０は、図示しないボルトとナットによって水洗便器１０に固定されている。まず、電動アシスト機構の電源コード８２を貫通孔１２から取り出し、保持部７５へ嵌める。その際、保持部７５間の電源コード８２は余長なく嵌める。また、左側の保持部７５から貫通孔１２間の電源コード８２も余長が無いように整線する。また、右側の保持部７５から電源コード８２の先端部８１は所定の長さ、例えばケーシング５２が固定部材７０に取り付けられたときに電源コード８２の先端部先端部８１が差し込み口５９に余長なく取り付けられる長さとする。
【００４２】
上述した本実施形態によると、固定部材７０の右側の保持部７５から電源コード８２の先端までを所定の長さで取り付け、また、保持部７５に電動アシスト機構の電源コード８２が余長なく取り付け、また、固定部材７０の左側の保持部７５から貫通孔１２までを余長なく整線し、固定部材７０を介して便座装置５０を水洗便器１０に取付けることで、便座装置５０を取外す際に、便座装置５０が上方に持ち上げられた際に、電源コード８２は持ち上げ動作に追従し、保持部７５から外れ、電源コード８２に過大な力が掛からず容易に取外すことができる。また、電源コード先端部８１と差し込み口５９は着脱自在のため、容易に取外すことができる。そのため、清掃等のメンテナンス性の向上に繋がる。
【００４３】
便座装置５０へ電力を供給する電源コード６７と、水を供給する給水管６５と、貫通孔を有した便器と、電動アシスト機構８０へ電力を供給する電源コード８２は、水洗便器１０の上面に空けられた貫通孔１２にまとめて挿入する。
電源コード６７と、給水管６５と、電源コード８２を貫通孔１２へまとめて挿入することで、水洗便器１０と、ケーシング５２の側面、例えば、水洗便器１０の左側方に電源コード６７と、給水管６５と、電源コード８２が露出しないため、清掃等のメンテナンス性の向上に繋がる。
【００４４】
以上、本願の開示する技術の実施形態について説明したが、本願の開示する技術は、上記に限定されるものではない。
【００４５】
例えば、便座装置５０は一体である場合を説明したが、別体であってもよい。
また、保持部７５は２つである場合を説明したが、１つであっても良く、３つ以上であってもよい。
また、係合凸部７８Ａ、Ｂは２つである場合を説明したが、１つであっても良く、３つ以上であってもよい。
【００４６】
前述した各実施の形態が備える各要素は、技術的に可能な限りにおいて組み合わせることができ、これらを組み合わせたものも本発明の特徴を含む限り本発明の範囲に包含される。
【符号の説明】
【００４７】
１０  水洗便器（便器）
１２  貫通孔
５０  便座装置（トイレ装置）
５１  便蓋
５２  ケーシング
５６  便座
５９  差し込み口
６５  給水管
６７  電源コード
６８  係合凹部
７０  固定部材
７５  保持部
７７  開口部
７８Ａ、Ｂ  係合凸部
８０  電動アシスト機構
８２  電源コード
１００  大便器装置
【図１】
2016156203.tif 000003
【図２】
2016156203.tif 000004
【図３ａ】
2016156203.tif 000005
【図３ｂ】
2016156203.tif 000006
【図３ｃ】
2016156203.tif 000007
【図４】
2016156203.tif 000008
【図５】
2016156203.tif 000009
【図６】
2016156203.tif 000010